(57)【要約】【課題】  血液成分検出ユニットを交換しても、その測定処理を確認して間違えずに血液成分を測定できる。【解決手段】  腕時計ケース１に血液成分検出ユニット５を着脱可能に装着し、この血液成分検出ユニット５の穿刺部で第１の指を穿刺し、この第１の指から血液を血液採取部で採取すると、この採取された血液の成分を血液成分検出部２０で検出する。従って、腕に装着した状態で良好に血液成分を測定することができるほか、腕時計ケース１に対し血液成分検出ユニット５が着脱可能であるから、血液成分検出ユニット５を簡単に交換することができる。また、血液成分検出ユニット５を交換しても、識別情報記憶部３５に記憶された識別情報によって交換した血液成分検出ユニット５の種類や機能などの情報を知ることができると共に、この識別情報に基づいて測定処理を容易に変更することができ、これにより測定処理を確認して間違えずに血液成分を測定できる。【選択図】        図７
2006109894.tif 000002
【特許請求の範囲】
【請求項１】
腕装着型の装置本体に血液成分検出ユニットを着脱可能に装着し、この血液成分検出ユニットで指先から血液を採取して血液成分を測定する血液成分測定装置において、
前記血液成分検出ユニットは、第１の指が置かれる載置部と、この載置部に置かれた前記第１の指を穿刺する穿刺部と、この穿刺部で穿刺された前記第１の指から血液を採取する血液採取部と、この血液採取部で採取された血液の成分を検出する血液成分検出部とを備えているほか、前記血液成分検出ユニットの識別情報を記憶した識別情報記憶部をも備えていることを特徴とする血液成分測定装置。
【請求項２】
前記装置本体は、腕に装着するためのバンドと、情報を表示するための表示部と、前記第１の指と異なる第２の指で操作される測定開始用の操作スイッチとを備えているほか、装着された前記血液成分検出ユニットの前記識別情報記憶部に記憶された識別情報に基づいて血液測定を制御する制御部を備えていることを特徴する請求項１に記載の血液成分測定装置。
【請求項３】
前記血液成分検出部は、前記血液採取部で採取された血液の成分を検出する複数のセンサを有し、前記制御部は、前記識別情報記憶部に記憶された識別情報に基づいて前記血液成分検出部の前記複数のセンサをそれぞれ制御することを特徴する請求項２に記載の血液成分測定装置。
【請求項４】
前記制御部は、前記識別情報記憶部に記憶された識別情報に基づいて前記装置本体内の内部回路の制御値および制御条件を選択して前記血液成分検出部を駆動することを特徴する請求項２または３に記載の血液成分測定装置。
【発明の詳細な説明】
【技術分野】
【０００１】
この発明は、指先から血液を採取して血液成分を検出測定する血液成分測定装置に関し、更に詳しくは腕時計のように腕に装着して使用することのできる腕装着型の血液成分測定装置に関する。
【背景技術】
【０００２】
例えば、血液中のブドウ糖を検出して血糖値を測定する血液成分測定装置においては、使用者が自分自身で容易に血糖値を測定できることが要望されている。これに応えるために、特許文献１の血液成分測定装置は、装置本体の表面に設けられた指当て部に指を当てがい、この指を穿刺部で穿刺して指先から血液を採取し、この採取した血液を試験紙に滲み込ませ、この滲み込んだ血液が試験紙に展開して血液中のブドウ糖量に応じて試験紙を呈色させ、この試験紙の呈色を光学素子で測定することにより、血液中のブドウ糖量に応じた血糖値を測定結果として表示部に表示させるように構成されている。
【特許文献１】特開２００２−３４９５６号公報
【発明の開示】
【発明が解決しようとする課題】
【０００３】
しかしながら、このような従来の血液成分測定装置では、血液中のブドウ糖を検出して血糖値を測定しているが、血液中の酸素やイオンなどの物質を検出して酸素飽和度やイオン濃度などの血糖値以外の血液成分を測定する場合、その都度、使用者が試験紙を交換して光学素子による測定処理を変更しなければならず、このため測定処理を変更する操作が面倒であるばかり、試験紙を間違えたり、あるいは試験紙に応じた処理設定を間違えたりするなどの問題がある。
【０００４】
この発明が解決しようとする課題は、血液成分検出ユニットを交換して測定する血液成分を変更しても、その測定処理を確認して間違えずに血液成分を測定することができる血液成分測定装置を提供することである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図１０に示すように、腕装着型の装置本体（腕時計ケース１）に血液成分検出ユニット（５）を着脱可能に装着し、この血液成分検出ユニットで指先から血液を採取して血液成分を測定する血液成分測定装置において、前記血液成分検出ユニットは、第１の指（１５）が置かれる載置部（指載置部１６）と、この載置部に置かれた前記第１の指を穿刺する穿刺部（１８）と、この穿刺部で穿刺された前記第１の指から血液を採取する血液採取部（１９）と、この血液採取部で採取された血液の成分を検出する血液成分検出部（２０）とを備えているほか、前記血液成分検出ユニットの識別情報を記憶した識別情報記憶部（３５、５０）をも備えていることを特徴とする血液成分測定装置である。
【０００７】
請求項２に記載の発明は、図１〜図１０に示すように、前記装置本体（腕時計ケース１）が、腕に装着するためのバンド（時計バンド２）と、情報を表示するための表示部（表示パネル１１）と、前記第１の指（１５）と異なる第２の指で操作される測定開始用の操作スイッチ（６）とを備えているほか、装着された前記血液成分検出ユニット（５）の前記識別情報記憶部（３５、５０）に記憶された識別情報に基づいて血液測定を制御する制御部（メイン制御部３６およびサブ制御部３７）を備えていることを特徴する請求項１に記載の血液成分測定装置である。
【０００８】
請求項３に記載の発明は、図１〜図９に示すように、前記血液成分検出部（２０）が、前記血液採取部（１９）で採取された血液の成分を検出する複数のセンサ（血糖値センサ３０、酸素飽和度センサ３１、イオン濃度センサ３２）を有し、前記制御部（メイン制御部３６およびサブ制御部３７）が、前記識別情報記憶部（３５）に記憶された識別情報に基づいて前記血液成分検出部の前記複数のセンサをそれぞれ制御することを特徴する請求項２に記載の血液成分測定装置である。
【０００９】
請求項４に記載の発明は、図１〜図１０に示すように、前記制御部（メイン制御部３６およびサブ制御部３７）が、前記識別情報記憶部（５０）に記憶された識別情報に基づいて前記装置本体（腕時計ケース１）内の内部回路の制御値および制御条件を選択して前記血液成分検出部（２０）を駆動することを特徴する請求項２または３に記載の血液成分測定装置である。
【発明の効果】
【００１０】
請求項１に記載の発明によれば、腕装着型の装置本体に血液成分検出ユニットを装着し、この血液成分検出ユニットの載置部に第１の指を置いて穿刺部で穿刺すると、血液採取部が第１の指から血液を採取し、この採取した血液の成分を血液成分検出部で検出するので、装置本体を腕に装着した状態で、良好に血液成分を測定することができるほか、装置本体に対して血液成分検出ユニットが着脱可能であるから、血液成分検出ユニットを簡単に且つ容易に交換することができる。
【００１１】
この場合、血液成分検出ユニットを交換しても、その血液成分検出ユニットの識別情報記憶部に記憶された識別情報によって、交換した血液成分検出ユニットの種類や機能などの情報を知ることができると共に、識別情報記憶部に記憶された識別情報に基づいて測定処理を容易に変更することが可能になり、これにより血液成分検出ユニットを交換して測定する血液成分を変更しても、測定処理を確認して間違えずに血液成分を測定することができる。
【００１２】
請求項２に記載の発明によれば、装置本体が、腕に装着するためのバンドと、情報を表示するための表示部と、第１の指と異なる第２の指で操作される測定開始用の操作スイッチとを備えているので、バンドによって装置本体を簡単に腕に装着することができると共に、第１の指を血液成分検出ユニットの載置部に置いた状態で第２の指で操作スイッチを容易に操作して血液成分測定を開始することができるほか、血液成分検出部で検出された血液成分の測定結果を表示部に表示させて速やかに測定結果を知ることができる。
【００１３】
この場合、特に装着された血液成分検出ユニットの識別情報記憶部に記憶された識別情報に基づいて血液測定を制御する制御部を備えているので、識別情報記憶部に記憶された識別情報に基づいて制御部が血液成分検出ユニットに応じて血液測定を制御することができ、これにより血液成分検出ユニットを交換しても自動的に測定処理を変更することができ、このため測定処理を間違えずに血液成分検出ユニットに応じて血液成分を正確に且つ確実に測定することができるので、使い勝手の良いものを得ることができる。
【００１４】
請求項３に記載の発明によれば、血液成分検出部が血液採取部で採取された血液の成分を検出する複数のセンサを有し、制御部が識別情報記憶部に記憶された識別情報に基づいて血液成分検出部の複数のセンサをそれぞれ制御することにより、血液成分検出ユニットを交換しても、制御部が識別情報記憶部の識別情報に基づいて自動的に、交換した血液成分検出ユニットに応じて複数のセンサをそれぞれ制御することができ、このため血液成分検出ユニットを交換しても測定処理を間違えずに、交換した血液成分検出ユニットに応じて血液成分を正確に且つ確実に測定することができる。
【００１５】
請求項４に記載の発明によれば、制御部が識別情報記憶部に記憶された識別情報に基づいて装置本体内の内部回路の制御値および制御条件を選択して血液成分検出部を駆動することにより、血液成分検出ユニットを交換しても、制御部が自動的に装置本体内の内部回路の制御値および制御条件を選択して血液成分検出部を駆動することができ、これにより血液成分検出ユニットを交換しても測定処理を間違えずに、交換した血液成分検出ユニットに応じて制御値および制御条件で血液成分を正確に測定することができる。この場合、識別情報記憶部には、装置本体内の内部回路の制御値および制御条件を選択する識別情報と、請求項３に記載した発明と同様に複数のセンサを制御するための識別情報との両方の識別情報を有していれば、より一層、血液成分を高い精度で測定することができる。
【発明を実施するための最良の形態】
【００１６】
（実施形態１）
以下、図１〜図９を参照して、この発明の血液成分測定装置を腕時計に適用した実施形態１について説明する。
図１はこの発明を適用した腕時計の正面図、図２はその使用状態を示した斜視図、図３は図１のＡ−Ａ矢視における要部の拡大断面図である。
この腕時計は、図１および図２に示すように、腕時計ケース１を備え、この腕時計ケース１の１２時と６時の各外端部に時計バンド２がそれぞれ取り付けられ、この時計バンド２によって腕時計ケース１が腕に着脱自在に取り付けられるように構成されている。
【００１７】
この腕時計ケース１の上部には、図１〜図３に示すように、時計ガラス３がパッキン３ａを介して装着されており、この腕時計ケース１の上部における３時側には、図１および図３に示すように、ユニット装着部４が設けられている。このユニット装着部４は、図３に示すように、上方に開口された凹部状に形成され、後述する血液成分検出ユニット５が着脱可能に装着するように構成されている。このユニット装着部４の手前側（図１では下側）に位置する腕時計ケース１の６時側の上面には、図１および図２に示すように、血液成分の測定開始用の操作スイッチ６が設けられている。
【００１８】
また、この腕時計ケース１の内部には、図３に示すように、時計モジュール７が収納されており、この腕時計ケース１の下面には、裏蓋８が防水リング８ａを介して取り付けられている。さらに、この腕時計ケース１の９時側に位置する側面には、図１および図２に示すように、時計モードや血液成分の測定モードなどの各種のモードを切り替えるモード切替、およびアラーム時刻を設定するアラーム設定などの各種の操作を行うための複数の押釦スイッチ１４が設けられている。
【００１９】
時計モジュール７は、図３に示すように、ハウジング１０の上部に表示パネル１１が時計ガラス３に対応して設けられ、ハウジング１０の下面にインターコネクタ１２を介して表示パネル１１が電気的に接続される回路基板１３が配置された構成になっている。表示パネル１１は、液晶表示素子やＥＬ素子（エレクトロルミネッセンス表示素子）などの平面型の表示素子からなり、時刻などの情報や後述する血液成分などの情報を選択的に表示するように構成されている。また、回路基板１３には、時計機能や通信機能、および情報を記憶するためなどに必要な各種の電子部品１３ａ（例えば、ＬＳＩ、記憶素子、アンテナなどの電子部品）が搭載されている。
【００２０】
すなわち、この時計モジュール７は、図７に示すように、表示部である表示パネル１１を備えている時計機能部７ａと、外部機器との間で血液情報を含む各種のデータの通信を行う通信機能部７ｂとを有し、図１および図２に示すように、表示パネル１１に時刻や血液成分などの各種の情報を表示し、且つ通信機能部７ｂによって標準時刻電波を受信して自動的に内蔵されている時刻機能部７ａにおける現在時刻を修正すると共に、パーソナルコンピュータなどの外部機器（図示せず）に後述する血液成分検出ユニット５で検出した血液成分などの情報を送信するように構成されている。
【００２１】
一方、血液成分検出ユニット５は、図１〜図４に示すように、腕時計ケース１のユニット装着部４に着脱可能に装着され、この状態で第１の指（この例では人差し指であるが、中指、薬指などでも良い）の指先１５が上方から押し当てられ、この押し当てられた指先１５の皮膚を穿刺して採血し、この採血した血液成分を検出するように構成されている。この場合、血液成分検出ユニット５は、図４に示すように、指先１５を載置する指載置部１６が設けられたユニットケース１７を備えている。なお、この血液成分検出ユニット５は、予め多数用意されていており、血液測定の都度、腕時計ケース１のユニット装着部４から交換するようにしても、また、予め定められている回数だけ血液測定してから交換するようにしても良い。
【００２２】
ユニットケース１７の内部には、図４に示すように、指載置部１６に載置された指先１５の皮膚を穿刺する穿刺部１８と、この穿刺部１８によって穿刺した指先１５から血液を採取する血液採取部１９と、この血液採取部１９で採血した血液の成分を検出する血液成分検出部２０と、この血液成分検出部２０で血液成分が検出された使用済みの血液を吸収して保管する血液保管部２１と、血液採取部１９および血液成分検出部２０がそれぞれ電気的に接続されるユニット回路基板３４とを備えている。
【００２３】
穿刺部１８は、図５および図６に示すように、指先１５の表面の皮膚が接触する接触筒２２と、この接触筒２２内に移動可能に配置されたスライダ２３と、このスライダ２３に設けられて指先１５の皮膚を穿刺する穿刺針２４と、スライダ２３を押し出す方向に向けて付勢するばね機構（図示せず）とを備え、接触筒２２の先端部（図５では上端部）がユニットケース１７の指載置部１６に設けられた開口部１６ａに対応した状態で、図４に示すように、血液採取部１９の後述する減圧室２５内に配置されている。
【００２４】
すなわち、この穿刺部１８は、図５に示すように、指先１５を指載置部１６に配置して開口部１６ａを塞いだときに、指先１５の表面の皮膚が開口部１６ａを通して接触筒２２の先端部に押し当てられ、この押し当てられた指先１５によって接触筒２２が押し下げられることにより、ばね機構のばねが圧縮されてロックされ、この状態で操作スイッチ６が操作されると、ばね機構のばねのロックが解除され、圧縮されたばね圧によって図６に示すようにスライダ２３が押し上げられ、これにより穿刺針２４が上方に移動して指先１５の表面の皮膚を穿刺するように構成されている。
【００２５】
また、この穿刺部１８は、図６に示すように、穿刺針２４の先端が接触筒２２の先端面とほぼ同じ位置に押し上げられて指先１５の皮膚を穿刺したときに、ストッパ部（図示せず）によってスライダ２３が停止されると共に、指先１５の皮膚を穿刺した穿刺針２４がばね機構のばねの減衰振動によって指先１５の皮膚から離れ、この状態で指先１５の皮膚から血液を滲出させるように構成されている。なお、この穿刺部１８は、再度、指先１５の皮膚を穿刺する場合、指先１５を指載置部１６から一旦離し、再び指先１５を指載置部１６に配置して接触筒２２の先端部に押し当てれば、上記と同様、ばね機構のばねが圧縮されてロックされ、これにより穿刺針２４による穿刺の準備がなされるように構成されている。
【００２６】
血液採取部１９は、図４に示すように、穿刺部１８を収納する減圧室２５と、この減圧室２５内を減圧状態にする減圧ポンプ２６とからなり、穿刺部１８によって穿刺した指先１５から血液を採取するように構成されている。この場合、減圧ポンプ２６は、ピエゾ素子などの圧電素子を用い、この圧電素子の振動を利用して、減圧室２５内を減圧させるように構成されている。これにより、血液採取部１９は、減圧ポンプ２６によって減圧室２５内が減圧されることにより、指先１５の皮膚から血液を滲出し易くして減圧室２５内に取り込むように構成されている。
【００２７】
また、減圧室２５には、採取した血液が流れ込む血液流路２７が連続して設けられている。この血液流路２７内には、図４に示すように、減圧室２５側から順に、逆流防止弁２８、マイクロチャネル２９、および血液成分検出部２０が設けられている。逆流防止弁２８は、減圧室２５と血液流路２７との境界部分に設けられて、減圧室２５内から血液流路２７内に送り込まれた血液が逆流するのを防ぐように構成されている。マイクロチャネル２９は、逆流防止弁２８を介して血液流路２７に送り込まれた血液に必要な試薬を混合し、この血液を血液成分検出部２０側へ輸送するように構成されている。
【００２８】
血液成分検出部２０は、図４に示すように、血液中のブドウ糖を検出する血糖値センサ３０と、血液中の酸素を検出する酸素飽和度センサ３１と、血液中のＣａ、Ｋ、Ｎａ、ｐＨ（ペーハー）などを検出するイオン濃度センサ３２とを備えている。この場合、血液成分検出部２０は、これらセンサ３０〜３２の全てが検出動作する必要はなく、血液成分検出ユニット５の種類に応じて、各センサ３０〜３２のうちの少なくともいすれかが検出動作するように構成されている。
【００２９】
すなわち、この血液成分検出部２０は、各センサ３０〜３２のうち、血糖値センサ３０、酸素飽和度センサ３１、イオン濃度センサ３２のいずれか１つのみが検出動作するもの、または血糖値センサ３０と酸素飽和度センサ３１とが検出動作するもの、血糖値センサ３０とイオン濃度センサ３２とが検出動作するもの、酸素飽和度センサ３１とイオン濃度センサ３２とが検出動作するもの、あるいは各センサ３０〜３２の全てが検出動作するものなど、血液成分検出ユニット５の種類に応じて機能の異なる複数の種類が用意されており、そのいずれかを使用者が選択して使用するように構成されている。なお、この血液成分検出部２０は、各センサ３０〜３２に限られず、更に別なセンサを設けても良い。
【００３０】
また、この血液成分検出部２０は、各センサ３０〜３２がそれぞれユニットケース７内のユニット回路基板３４と電気的に接続されており、血液成分検出ユニット５には、ユニット回路基板３４に設けられた識別情報記憶部３５に血液成分検出ユニット５の識別情報（ＩＤ情報）が記憶されている。すなわち、この識別情報記憶部３５は、ユニット回路基板３４に設けられた識別情報用のＲＯＭであり、血液成分検出ユニット５の製造番号などの識別情報のほかに、後述する血液成分検出ユニット５の血液成分機能を含む各種の個別情報が識別情報として記憶されている。
【００３１】
血液保管部２１は、図４に示すように、ユニットケース１７に着脱可能に装着され、血液成分検出部２０で検査された使用済みの血液が血液流路２７から流れ込み、この流れ込んだ使用済みの血液を吸収して保管するように構成されている。この血液保管部２１は、予め、複数個、用意され、一回の血液測定の都度、交換できるように構成されている。なお、この血液保管部２１は、血液測定を所定回数行ったときに交換できるように構成されていても良い。
【００３２】
さらに、この血液成分検出ユニット５は、図４に示すように、ユニットケース１７の下面に血液成分検出ユニット側接続端子である駆動用接続電極３３ａとデータ用接続電極３３ｂとがユニットケース１７内のユニット回路基板３４と電気的に接続された状態で設けられ、ユニットケース１７が腕時計ケース１のユニット装着部４に装着されたときに、ユニット装着部４内の装置本体側接続端子である各接続電極４ａ、４ｂと電気的に接続され、これによりユニット回路基板３４が腕時計ケース１内の回路基板１３と電気的に接続されるように構成されている。
【００３３】
次に、このような腕時計の血液成分検出装置の回路構成について、図７に示されたブロック図を参照して説明する。
腕時計ケース１内には、回路全体の動作を制御するＣＰＵなどのメイン制御部３６と、血液成分検出ユニット５の動作を制御するＣＰＵなどのサブ制御部３７とを備えている。メイン制御部３６は、制御用ＲＯＭ３９に記憶されたプログラムに従って時計モジュール７の時計機能部７ａおよび通信機能部７ｂなどの回路全般を制御し、通常は時計モードで時計機能部７ａに基づいて表示パネル１１に現在時刻などの時刻情報を表示し、押釦スイッチ１４の操作によって血液成分測定モードになると、サブ制御部３７を制御する。
【００３４】
このサブ制御部３７は、腕時計ケース１に装着された血液成分検出ユニット５内の識別情報用ＲＯＭである識別情報記憶部３５から血液成分検出ユニット５の識別情報（ＩＤ情報）を読み取り、この識別情報をメイン制御部３６に送り、ＲＡＭ４４に記憶すると共に、読み取った識別情報に基づいて、血液成分を測定する回路全般を制御する。すなわち、このサブ制御部３７は、識別情報に基づいて、減圧ポンプ２６を駆動するポンプ駆動回路４０と、マイクロチャネル２９を駆動するチャネル駆動回路４１と、血液成分検出部２０を駆動するセンサ駆動回路４２と、血液成分検出部２０で検出された検出結果に基づいて演算処理をする測定部４３とを制御する。
【００３５】
この測定部４３は、Ａ／Ｄ変換器からなり、血液成分検出部２０で検出されたアナログデータをデジタルデータに変換して血液成分データとしてメイン制御部３６に出力する。メイン制御部３６は、測定部４３からの血液成分データをＲＡＭ４４に記憶すると共に、表示パネル１１に表示する。なお、メイン制御部３６は、サブ制御部３７から与えられた識別情報記憶部３５の識別情報に基づいて電源３８の電力供給（電圧値）をも制御する。
【００３６】
この場合、血液成分検出ユニット５は、予め多数用意され、そのそれぞれの識別情報記憶部３５に製造番号などの個別の識別情報が記憶されている。すなわち、血液成分検出ユニット５の血液成分検出部２０は、前述したように、血糖値センサ３０、酸素飽和度センサ３１、イオン濃度センサ３２を備えているが、これらセンサ３０〜３２の全てが検出動作するとは限らず、例えば血糖値センサ３０、酸素飽和度センサ３１、イオン濃度センサ３２のいずれか１つ、またはいずれか２つが検出動作するもの、あるいは各センサ３０〜３２の全てが検出動作するものなど、血液成分検出ユニット５の種類に応じて血液成分検出部２０の測定機能が異なる複数の種類が用意されている。
【００３７】
このため、血液成分検出ユニット５の識別情報記憶部３５には、各血液成分検出ユニット５の個別の識別情報がユニット番号ごとにそれぞれ記憶されている。例えば、図９に示すように、血液成分検出ユニット５のユニット番号がＭ１の場合には、血糖値センサ３０のみが検出動作する識別情報が識別情報記憶部３５に記憶されており、ユニット番号がＭ２の場合には、酸素飽和度センサ３１のみが検出動作する識別情報が識別情報記憶部３５に記憶されている。同様に、ユニット番号がＭｎの場合には、各センサ３０〜３２の全てが検出動作する識別情報が識別情報記憶部３５に記憶されている。これにより、サブ制御部３７は、血液成分検出ユニット５を交換するたびに、識別情報記憶部３５に記憶された識別情報（Ｍ１〜Ｍｎ）を読み取り、読み取った識別情報に応じて、血液成分の測定処理を選択する。
【００３８】
次に、この腕時計の血液成分検出装置の動作フローについて、図８を参照して説明する。
この場合には、予め、血液成分検出ユニット５を腕時計ケース１のユニット装着部４に装着し、この腕時計ケース１を時計バンド２で腕に装着して固定する。この状態で、押釦スイッチ１４を操作して血液成分の測定モードにすると、血液成分の測定動作を開始する。このときには、まず、サブ制御部３７が血液成分検出ユニット５の識別情報記憶部３５に記憶された識別情報を読み取り（ステップＳ１）、この識別情報に基づいて血液成分検出ユニット５の種類つまり血液成分検出部２０の測定機能を認識し、血液成分の測定処理を選択して設定する。
【００３９】
この後、ユニットケース１７の指載置部１６に指先１５を押し当て、この指先１５によって穿刺部１８の先端部を押し込むことにより、穿刺部１８のばね機構（図示せず）のばねが圧縮されてロックされる。この状態で、腕時計ケース１の操作スイッチ６を操作すると、血液成分検出ユニット５の穿刺部１８のばね機構のロックが解除され、このばね機構のばね圧によって穿刺部１８のスライダ２３が押し上げられるので、穿刺針２４が接触筒２２内から押し出され、これにより穿刺針２４が指先１５の表面の皮膚を穿刺する（ステップＳ２）。そして、この穿刺針２４がばね機構のばねの減衰振動によって指先１５の皮膚から離れると、指先１５の皮膚から血液が滲出する。
【００４０】
このように指先１５から血液が滲出すると、血液採取部１９の減圧ポンプ２６が動作して穿刺部１８を含む減圧室２５内を減圧し、穿刺部１８で穿刺された指先１５の皮膚から血液を採取し易くして血液採取部１９の減圧室２５内に取り込む（ステップＳ３）。そして、減圧室２５内に取り込まれた血液が逆流防止弁２８を通して血液流路２７に流れ込むと、マイクロチャネル２９の部分を通過した血液は、血液流路２７を通って、血液成分検出部２０側へ送り込まれる。このときに、血液が採取されたかを判断し（ステップＳ４）、血液が血液成分検出部２０に送り込まれていなければ、ステップＳ２に戻って上記動作を繰り返す。
【００４１】
また、マイクロチャネル２９を通って血液成分検出部２０に血液が送り込まれると、ステップＳ４で血液採取が行われたと判断され、減圧ポンプ２６を停止し（ステップＳ５）、減圧状態を解除して穿刺部１８および減圧室２５を大気圧に復帰させる（ステップＳ６）。このときには、ユニットケース１７の指載置部１６に載置された指先１５に吸引感がなくなるので、指先１５を指載置部１６から離すことができる。この後、血液流路２７内の血液成分検出部２０によって血液の成分を検出する（ステップＳ７）。このときには、サブ制御部３７が血液成分検出ユニット５の識別情報記憶部３５に記憶された識別情報に基づいて血液成分検出部２０を制御する。
【００４２】
例えば、腕時計ケース１に装着された血液成分検出ユニット５のユニット番号がＭｎの場合には、サブ制御部３７が血液成分検出部２０の全てのセンサ３０、３１、３２を制御する。これにより、血液成分検出部２０の血糖値センサ３０で血液中のブドウ糖を検出し、酸素飽和度センサ３１で血液中の酸素を検出し、イオン濃度センサ３２で血液中のＣａ、Ｋ、Ｎａ、ｐＨなどのイオンを検出し、これらの検出結果に基づいて測定部４３で血糖値、酸素飽和度、イオン濃度、ペーハーを測定する。
【００４３】
また、このときに、例えば血液成分検出ユニット５のユニット番号がＭｎ以外の場合には、血液成分検出部２０の各センサ３０、３１、３２のうち、いずれか１つ、またはいずれか２つを組み合わせて血液成分を検出するので、血糖値センサ３０で血液中のブドウ糖、酸素飽和度センサ３１で血液中の酸素、イオン濃度センサ３２で血液中のＣａ、Ｋ、Ｎａ、ｐＨなどのイオンのいずれか１つ、またはいずれか２つを検出し、これらの検出結果に基づいて測定部４３で血糖値、酸素飽和度、イオン濃度、ペーハーのいずれか１つ、またはいずれか２つを測定する。
【００４４】
そして、測定部４３で測定された血糖値、酸素飽和度、イオン濃度などの血液成分データをメイン制御部３６によって腕時計ケース１内のＲＡＭ４４に記憶すると共に、腕時計ケース１の表示パネル１１に表示する（ステップＳ８）。このときには、測定部４３で測定された血糖値、酸素飽和度、イオン濃度などの血液成分データほかに、血液成分の測定プロセスの進行状態（たとえば、測定エラー表示、測定合格表示、測定例）を表示させるようにしても良い。
【００４５】
この後、血液成分検出部２０で検査された使用済みの血液が血液保管部２１に送り込まれ、この血液保管部２１に保管され、このフローを終了する。なお、記憶素子であるＲＡＭ４４に記憶された血糖値、酸素飽和度、イオン濃度などの血液成分データは、腕時計ケース１内の通信機能部７ｂによってパーソナルコンピュータなどの外部機器に送信される。これにより、外部機器で血液成分データの管理およびこれらのデータ処理が行われる。
【００４６】
このように、この腕時計によれば、腕に装着する腕時計ケース１に血液成分検出ユニット５を着脱可能に装着し、この血液成分検出ユニット５の指載置部１６に第１の指先１５を置いて穿刺部１８で穿刺すると、血液採取部１９が第１の指先１５から血液を採取し、この採取された血液の成分を血液成分検出部２０で検出するので、腕時計ケース１を腕に装着した状態で、良好に血液成分を測定することができる。特に、腕時計ケース１に対して血液成分検出ユニット５が着脱可能であるから、血液成分検出ユニット５を簡単に且つ容易に交換することができる。
【００４７】
この場合、血液成分検出ユニット５を交換しても、識別情報記憶部３５に記憶された識別情報によって、交換した血液成分検出ユニット５の種類や機能などの情報を知ることができると共に、この識別情報記憶部３５に記憶された識別情報に基づいて測定処理を容易に変更することが可能になり、これにより血液成分検出ユニット５を交換して測定する血液成分を変更しても、測定処理を確認して間違えずに、血液成分検出ユニット５の測定機能に応じて血液成分を測定することができる。
【００４８】
また、この腕時計では、腕時計ケース１が、腕に装着するための時計バンド２と、情報を表示するための表示パネル１１と、第１の指１５と異なる第２の指で操作される測定開始用の操作スイッチ６とを備えているので、時計バンド２によって腕時計ケース１を簡単に腕に装着することができると共に、第１の指１５を血液成分検出ユニット５の指載置部１６に置いた状態で第２の指で操作スイッチ６を容易に操作して血液成分測定を開始することができるほか、血液成分検出部２０で検出された血液成分の測定結果を表示パネル１１に表示させて速やかに測定結果を知ることができる。
【００４９】
この場合、特に装着された血液成分検出ユニット５の識別情報記憶部３５に記憶された識別情報に基づいて血液測定を制御するメイン制御部３６およびサブ制御部３７を備えているので、識別情報記憶部３５に記憶された識別情報に基づいてサブ制御部３７が血液成分検出ユニット５の種類に応じて血液測定を制御することができる。すなわち、血液成分検出部２０は、血液採取部１９で採取された血液の成分を検出する複数のセンサ３０、３１、３２を有し、サブ制御部３７は識別情報記憶部３５に記憶された識別情報に基づいて血液成分検出部２０の各センサ３０、３１、３２をそれぞれ制御する。
【００５０】
このため、血液成分検出ユニット５を交換しても、サブ制御部３７が識別情報記憶部３５に記憶された識別情報に基づいて、自動的に交換した血液成分検出部２０の各センサ３０、３１、３２をそれぞれ制御することができる。これにより、血液成分検出ユニット５を交換しても測定処理を間違えずに、交換した血液成分検出ユニット５の測定機能に応じて血液成分を正確に且つ確実に測定することができ、使い勝手の良いものを得ることができる。
【００５１】
（実施形態２）
次に、図１０を参照して、この発明の血液成分測定装置を腕時計に適用した実施形態２について説明する。なお、図１〜図９に示された実施形態１と同一部分には同一符号を付して説明する。
この腕時計は、血液成分ユニット５の識別情報記憶部５０に、実施形態１と同様の識別情報のほかに、図１０に示すような制御値や制御条件を有する識別情報をも記憶させた構成で、これ以外は実施形態１とほぼ同じ構成になっている。
【００５２】
すなわち、この識別情報記憶部５０は、図９に示した実施形態１と同様、血液成分検出ユニット５のユニット番号（Ｍ１〜Ｍｎ）に相当して血糖値センサ３０、酸素飽和度センサ３１、イオン濃度センサ３２のいずれが検出動作するかを表わす個別の識別情報のほかに、制御値である電源（電圧値）や測定部３４のＡ／Ｄ変換値、および制御条件である待ち時間や測定時間などの個別の識別情報をも血液成分検出ユニット５のユニット番号（ｍ１〜ｍｎ）ごとに記憶している。
【００５３】
例えば、図１０に示すように、血液成分検出ユニット５のユニット番号がｍ１の場合には、電圧値が１．５Ｖで、測定部３４のＡ／Ｄ変換値が２０ビットで、制御条件の待ち時間が１秒で、測定時間が１０秒などの識別情報が、ユニット番号（Ｍ１〜Ｍｎ）のいずれかに相当する識別情報と共に識別情報記憶部５０に記憶されている。また、血液成分検出ユニット５のユニット番号がｍ２の場合には、電圧値が３．０Ｖで、測定部３４のＡ／Ｄ変換値が５０ビットで、制御条件の待ち時間が３秒で、測定時間が３０秒などの識別情報が、ユニット番号（Ｍ１〜Ｍｎ）のいずれかに相当する識別情報と共に識別情報記憶部５０に記憶されている。同様に、血液成分検出ユニット５のユニット番号がｍｎの場合には、電圧値が１．５Ｖで、測定部３４のＡ／Ｄ変換値が２０ビットで、制御条件の待ち時間が５秒で、測定時間が５０秒などの識別情報が、ユニット番号（Ｍ１〜Ｍｎ）のいずれかに相当する識別情報と共に識別情報記憶部５０に記憶されている。
【００５４】
このような腕時計によれば、腕時計ケース１のユニット装着部４に血液成分検出ユニット５を装着すると、血液成分検出ユニット５の識別情報記憶部５０に記憶された識別情報（ｍ１〜ｍｎ）をサブ制御部３７が読み取り、この読み取った識別情報に基づいてサブ制御部３７が実施形態１と同様、血液成分検出ユニット５の血液成分検出部２０の各センサ３０、３１、３２を制御するほか、メイン制御部３６が血液成分を測定するための電圧値や測定部３４のＡ／Ｄ変換値などの制御値、および待ち時間や測定時間などの制御条件を選択して血液成分検出部２０の駆動を指示する。このため、実施形態１の場合よりも、血液成分を正確に且つ精度良く測定することができる。この場合、測定部３４のＡ／Ｄ変換器は、そのＡ／Ｄ変換値が大きくなるに従って、採血された血液成分を検出するための各センサ３０、３１、３２の測定値の分解能を高めることができできる。
【００５５】
なお、上記実施形態２では、血液成分検出ユニット５の識別情報記憶部５０に、血液成分検出部２０の各センサ３０、３１、３２の機能情報のほかに、血液成分を測定するための制御値や制御条件などの制御情報を識別情報として記憶させたが、必ずしも血液成分検出部２０の各センサ３０、３１、３２の機能情報と制御値や制御条件などの制御情報との両方を識別情報として記憶させる必要はなく、血液成分を測定するための制御値や制御条件などの制御情報のみを識別情報として記憶させただけでも良い。
【００５６】
また、上記実施形態１または２では、腕時計ケース１側にサブ制御部３７、チャネル駆動回路４１、センサ駆動回路４２、および測定部４３を設けた例で説明したが、これに限らず、血液成分検出ユニット５側にサブ制御部３７、チャネル駆動回路４１、センサ駆動回路４２、および測定部４３を設けるようにしても良い。
さらに、上記実施形態１または２では、腕装着型の血液測定装置として、腕時計に適用した場合について述べたが、必ずしも腕時計である必要はなく、腕に装着することのできる腕装着型の電子機器にも適用することができる。
【図面の簡単な説明】
【００５７】
【図１】この発明を適用した腕時計の正面図である。（実施形態１）
【図２】図１の腕時計の使用状態を示した斜視図である。
【図３】図１のＡ−Ａ矢視における要部の拡大断面図である。
【図４】図１の血液成分検出ユニットを概念的に示した拡大断面図である。
【図５】図４の穿刺部を示した拡大断面図である。
【図６】図５の穿刺部で指先を穿刺した状態の拡大断面図である。
【図７】図１の腕時計における血液成分検出装置の回路構成を示したブロック図である。
【図８】図７の血液成分検出装置の動作フローを示した図である。
【図９】図７の血液成分検出ユニットの識別情報記憶部に記憶される識別情報の一例を示した図。
【図１０】図７の血液成分検出ユニットの識別情報記憶部に記憶される識別情報の他の例を示した図。（実施形態２）
【符号の説明】
【００５８】
１  腕時計ケース
２  時計バンド
３  時計ガラス
４  ユニット装着部
５  血液成分検出ユニット
６  操作スイッチ
７  時計モジュール
１１  表示パネル
１３  回路基板
１５  指先
１６  指載置部
１７  ユニットケース
１８  穿刺部
１９  血液採取部
２０  血液成分検出部
３０  血糖値センサ
３１  酸素飽和度センサ
３２  イオン濃度センサ
３４  ユニット回路基板
３５  識別情報記憶部
３６  メイン制御部
３７  サブ制御部
４３  測定部
【図１】
2006109894.tif 000003
【図２】
2006109894.tif 000004
【図３】
2006109894.tif 000005
【図４】
2006109894.tif 000006
【図５】
2006109894.tif 000007
【図６】
2006109894.tif 000008
【図７】
2006109894.tif 000009
【図８】
2006109894.tif 000010
【図９】
2006109894.tif 000011
【図１０】
2006109894.tif 000012